(57)【要約】  浴室乾燥機は、送風機と、送風機が収納されているケースと、送風機の動作により浴室内からケースへ吸い込まれる空気流が通過する吸込口とを有する本体部と、本体部の浴室内側に配置されているパネルと、パネルに着脱可能に取り付けられて吸込口を被覆するフィルター部（１０）とを備える。フィルター部（１０）は、空気流が通過するネット（１５）と、ネット（１５）の表面を格子状に仕切るとともにネット（１５）が固定されている格子部（１６）とを有する。格子部（１６）は、ネット（１５）の表面から立てられている第１部位と、ネット（１５）の表面に垂直な方向における高さが第１部位より低くされて第１部位からネット（１５）に沿って突出している第２部位とを有する。
2019142240.tif 000002
【特許請求の範囲】
【請求項１】
送風機と、
前記送風機が収納されているケースと、前記送風機の動作により浴室内から前記ケースへ吸い込まれる空気流が通過する吸込口とを有する本体部と、
前記本体部の浴室内側に配置されているパネルと、
前記パネルに着脱可能に取り付けられて前記吸込口を被覆するフィルター部と、を備え、
前記フィルター部は、
前記空気流が通過するネットと、
前記ネットの表面を格子状に仕切るとともに前記ネットが固定されている格子部と、を有し、
前記格子部は、前記ネットの表面から立てられている第１部位と、前記ネットの表面に垂直な方向における高さが前記第１部位より低くされて前記第１部位から前記ネットに沿って突出している第２部位と、を有することを特徴とする浴室乾燥機。
【請求項２】
前記第１部位は、前記ネットに対し前記吸込口の側と前記ネットに対し前記吸込口の側とは逆の側とに立てられており、
前記第２部位は、前記ネットに対し前記吸込口の側と前記ネットに対し前記吸込口の側とは逆の側とに設けられており、
前記格子部は、前記第１部位および前記第２部位のうち、前記ネットに対し前記吸込口の側の部分と前記ネットに対し前記吸込口の側とは逆の側の部分とにより前記ネットを挟持することを特徴とする請求項１に記載の浴室乾燥機。
【請求項３】
前記第１部位の側面から、前記第２部位のうち前記第１部位の側とは逆側の端までの長さが、０．５ｍｍ以上かつ５ｍｍ以下であることを特徴とする請求項１または２に記載の浴室乾燥機。
【請求項４】
前記フィルター部は、前記ネットと前記格子部とを囲うフィルター枠を有し、
前記フィルター枠は、前記第２部位と同じ断面形状をなして前記ネットが固定されている第３部位を有することを特徴とする請求項１から３のいずれか１つに記載の浴室乾燥機。
【発明の詳細な説明】
【技術分野】
【０００１】
本発明は、浴室内から取り込まれた空気の浴室への循環と、浴室内から取り込まれた空気の浴室の外への排出とを行う浴室乾燥機に関する。
【背景技術】
【０００２】
浴室内から取り込まれた空気を浴室内へ循環させる循環気流が通過する循環口と、浴室内から取り込まれた空気を浴室の外へ排出させる排気流が通過する排気口とを備える浴室乾燥機が知られている。浴室乾燥機は、浴室内からの空気をヒーターで暖めて循環口へ温風を送る暖房運転と、浴室内からの空気を排気口へ送る換気運転と、浴室内からの空気を排気口へ送ると同時に循環口へ温風または涼風を送る乾燥運転とを行う。浴室乾燥機のうち、浴室内から取り込まれる空気流が通過する吸込口には、空気流とともに流動する塵埃を空気流から取り除くためのフィルター部が着脱可能に取り付けられる。【０００３】
特許文献１には、着脱可能なフィルター部を備える浴室乾燥機が開示されている。フィルター部には、一般に、空気流を通すネットと、ネットを仕切る格子をなす格子部とが設けられている。フィルター部に付着した塵埃は、清掃により取り除かれる。浴室乾燥機は、フィルター部の定期的な清掃により、フィルター部の目詰まりによる風量の低下が抑えられる。
【先行技術文献】
【特許文献】
【０００４】
【特許文献１】特許第５４６０９２１号公報
【発明の概要】
【発明が解決しようとする課題】
【０００５】
フィルター部は、清掃のたびに受ける外力により、ネットが破断することがあり得る。ネットの破断は、フィルターが製造されるときに格子部の内部にて生じることもある。【０００６】
本発明は、上記に鑑みてなされたものであって、フィルター部におけるネットの破断を低減可能とする浴室乾燥機を得ることを目的とする。
【課題を解決するための手段】
【０００７】
上述した課題を解決し、目的を達成するために、本発明にかかる浴室乾燥機は、送風機と、送風機が収納されているケースと、送風機の動作により浴室内からケースへ吸い込まれる空気流が通過する吸込口とを有する本体部と、本体部の浴室内側に配置されているパネルと、パネルに着脱可能に取り付けられて吸込口を被覆するフィルター部とを備える。フィルター部は、空気流が通過するネットと、ネットの表面を格子状に仕切るとともにネットが固定されている格子部とを有する。格子部は、ネットの表面から立てられている第１部位と、ネットの表面に垂直な方向における高さが第１部位より低くされて第１部位からネットに沿って突出している第２部位とを有する。
【発明の効果】
【０００８】
本発明にかかる浴室乾燥機は、フィルター部におけるネットの破断を低減できるという効果を奏する。
【図面の簡単な説明】
【０００９】
【図１】本発明の実施の形態１にかかる浴室乾燥機の構成を示す図
【図２】図１に示す浴室乾燥機が有するベースとパネルとを示す斜視図
【図３】図１に示す浴室乾燥機が有するフィルター部を示す図
【図４】図３に示すＩＶ−ＩＶ線におけるフィルター部の断面図
【発明を実施するための形態】
【００１０】
以下に、本発明の実施の形態にかかる浴室乾燥機を図面に基づいて詳細に説明する。なお、この実施の形態によりこの発明が限定されるものではない。
【００１１】
実施の形態１．
図１は、本発明の実施の形態１にかかる浴室乾燥機１００の構成を示す図である。浴室乾燥機１００は、浴室の天井に設置される。浴室乾燥機１００は、天井裏と浴室の外とを繋いで配設されたダクトに接続される。図１では、天井とダクトとの図示を省略している。浴室乾燥機１００は、浴室の壁または窓に設置されるものであっても良い。
【００１２】
浴室乾燥機１００は、本体部１と、送風機であるシロッコファン２と、本体部１の浴室内側に配置されているパネル５とを備える。本体部１は、シロッコファン２が収納されている箱体であるケース３と、ケース３の浴室内側に設けられたベース４とを有する。
【００１３】
本体部１は、ケース３と、ケース３に収納されている構成要素と、ベース４とにより構成されている。なお、図１には、ケース３に収納されている主な構成要素を模式的に示すとともに、ベース４およびパネル５の側面構成を示している。シロッコファン２の駆動源であるファンモーター９と、後述のダンパー１２は、ケース３に収納されている。
【００１４】
シロッコファン２は、ファンモーター９の駆動力を受けて回転して、空気流を発生させる。ベース４には、シロッコファン２の動作によって浴室内からケース３へ吸い込まれる空気流が通過する吸込口６が設けられている。また、ベース４には、浴室内から取り込まれた空気を浴室内へ循環させる循環気流が通過する循環口７が設けられている。ケース３の側面３ａには、浴室内から取り込まれた空気を浴室の外へ排出させる排気流が通過する排気口８が設けられている。排気口８は、ダクトに接続される。
【００１５】
浴室内から、天井に設けられた開口を通して天井裏へケース３が挿入されて、ケース３が天井裏に配置される。ベース４がケース３に固定されることで、本体部１は、吸込口６と循環口７とが浴室内にて下方へ向けられた状態で天井に設置される。パネル５は、ベース４の下方側を覆う。パネル５のうち下方へ向けられる面は、意匠が施された意匠面とされている。
【００１６】
ケース３内には、シロッコファン２から循環口７へ空気流を進行させる第１の風路１３と、シロッコファン２から排気口８へ空気流を進行させる第２の風路１４とが設けられている。ダンパー１２は、第１の風路１３と第２の風路１４との分岐に配置されている。ダンパー１２は、回転駆動により、第１の風路１３の開度と第２の風路１４の開度とを調節する。ヒーター１１は、循環口７の上方に設置されている。ヒーター１１は、循環口７へ向けて進行する空気を加熱する。
【００１７】
浴室乾燥機１００は、浴室内からの空気をヒーター１１で温めて循環口７から温風を吹き出す暖房運転と、浴室内からの空気を排気口８から浴室の外へ排出する換気運転と、浴室内からの空気を排気口８から排出すると同時に循環口７から温風または涼風を吹き出す乾燥運転とを行う。浴室乾燥機１００は、ダンパー１２を駆動して、暖房運転と、換気運転と、乾燥運転との切り換えを行う。
【００１８】
図２は、図１に示す浴室乾燥機１００が有するベース４とパネル５とを示す斜視図である。図２では、ベース４と、ベース４の下に設けられたパネル５とを、下方から見た状態を示している。パネル５のうち循環口７に対向する位置には、循環口７から浴室への循環気流が通過する開口１７が設けられている。第１の風路１３からの循環気流は、循環口７と開口１７とを通って、浴室内へ進行する。
【００１９】
浴室乾燥機１００は、パネル５に着脱可能に取り付けられて吸込口６を覆うフィルター部１０を備える。フィルター部１０は、パネル５に設けられている開口１９に嵌め込まれる。フィルター部１０は、空気流が通過するネット１５と、ネット１５の表面を格子状に仕切るとともにネット１５が固定されている格子部１６とを有する。浴室内から吸込口６へ進行する空気流は、パネル５に取り付けられているフィルター部１０のネット１５を通過する。フィルター部１０は、空気流とともに流動する塵埃をネット１５にて回収して、ケース３へ取り込まれる空気流から塵埃を除去する。これにより、浴室乾燥機１００は、ケース３内へ入り込む塵埃を低減可能とする。
【００２０】
図３は、図１に示す浴室乾燥機１００が有するフィルター部１０を示す図である。フィルター部１０は、フィルター部１０の外縁部であるフィルター枠２０を有する。格子部１６は、フィルター枠２０により囲われた領域に設けられている。格子部１６は、互いに直交する直線状の縦線部２３と横線部２４とを含む。縦線部２３同士は互いに平行である。横線部２４同士は互いに平行である。ネット１５は、複数の縦線部２３と複数の横線部２４とにより仕切られている。縦線部２３および横線部２４の数は、図３に示す数に限られず任意であるものとする。ネット１５は、空気流から塵埃を濾過可能な網目をなす細い樹脂材により形成されている。ネット１５の材料は、樹脂以外の材料であっても良い。格子部１６の材料には、樹脂が使用されている。フィルター枠２０は、ネット１５と格子部１６とを囲う。
【００２１】
フィルター枠２０の第１端２６には、パネル５の開口１９の縁に掛け合わせ可能とされた２つのヒンジ部２１が設けられている。フィルター枠２０のうち第１端２６とは逆側の第２端２７には、矩形をなす凹部２５が設けられている。凹部２５には、爪部２２が設けられている。爪部２２は、パネル５に設けられている板ばね状の爪受け部１８に掛け合わせ可能とされている。フィルター部１０がパネル５に取り付けられている状態において、ヒンジ部２１は開口１９に掛け合せられており、かつ爪部２２は爪受け部１８に掛け合せられている。ヒンジ部２１の数は２つに限られず任意であるものとする。
【００２２】
フィルター部１０がパネル５に取り付けられている状態において、爪受け部１８が下方から押されることにより、爪部２２と爪受け部１８との掛け合わせが解除される。爪受け部１８を押した指が凹部２５に掛けられて、フィルター部１０のうち第２端２７側の部分が下方へ引かれることにより、フィルター部１０は、第１端２６を中心に回転する。パネル５に対するヒンジ部２１の回転により、ヒンジ部２１は開口１９との掛け合わせが解除可能な状態となる。フィルター部１０を回転させてからフィルター部１０が引かれることにより、ヒンジ部２１の開口１９との掛け合わせが解除される。これにより、フィルター部１０は、パネル５から取り外される。パネル５から取り外されたフィルター部１０は、パネル５からの取り外しのときとは逆の手順により、パネル５に取り付けられる。
【００２３】
図４は、図３に示すＩＶ−ＩＶ線におけるフィルター部１０の断面図である。図４に示す断面は、１つの縦線部２３を含む断面である。フィルター部１０に設けられている各縦線部２３と各横線部２４とは、図４に示す断面構成と同様の断面構成を備える。図４に示す矢印Ａは、フィルター部１０から吸込口６へ向かう向きである上向きを表している。図４に示す矢印Ｂは、下向きを表している。
【００２４】
縦線部２３は、ネット１５の表面から垂直に立てられている第１部位３１と、ネット１５の表面に垂直な方向における高さが第１部位３１より低くされて第１部位３１からネット１５に沿って突出している第２部位３２とを有する。第１部位３１は、ネット１５に対し吸込口６の側とネット１５に対し吸込口６の側とは逆の側とに立てられている。第２部位３２は、ネット１５に対し吸込口６の側とネット１５に対し吸込口６の側とは逆の側とに設けられている。格子部１６は、第１部位３１および第２部位３２のうち、ネット１５に対し吸込口６の側の部分とネット１５に対し吸込口６の側とは逆の側の部分とによりネット１５を挟持する。
【００２５】
第１部位３１は、ネット１５から垂直に上側と下側とに突出して設けられている。第１部位３１は、ネット１５から下向きの突出に比べて、ネット１５から上向きの突出が大きくなるように形成されている。第２部位３２の上向きおよび下向きへの突出は、第１部位３１に比べて小さい。第２部位３２は、ネット１５の上側と下側とにおいて、第１部位３１から庇をなすように突出している。上下方向において、第２部位３２のうちネット１５よりも上側の部分の厚みと、第２部位３２のうちネット１５よりも下側の部分の厚みとは、同じである。ネット１５は、第１部位３１および第２部位３２のうちネット１５よりも上側の部分と、第１部位３１および第２部位３２のうちネット１５よりも下側の部分と挟まれて固定されている。実施の形態１では、格子部１６に第２部位３２が設けられていることで、格子部１６が第１部位３１のみの構成とされる場合に比べて、ネット１５のうち格子部１６との固定部分の幅が拡げられている。
【００２６】
フィルター部１０の清掃では、掃除機またはブラシといった器具が当たることによる力、あるいは水洗いの場合の水圧といった外力がフィルター部１０にかかることになる。フィルター部１０は、第２部位３２によりネット１５と格子部１６との固定部分の幅が拡げられていることで、ネット１５に外力がかけられた場合におけるネット１５の破断を低減できる。また、ネット１５は、上側と下側との両方から第１部位３１と第２部位３２とにより保持されている。フィルター部１０は、上下のどちらからネット１５に外力がかけられた場合においてもネット１５の破断を低減できる。
【００２７】
図４に示す長さＤは、第１部位３１の側面３４から、第２部位３２のうち第１部位３１の側とは逆側の端までの第２部位３２の長さである。長さＤは、０．５ｍｍ以上かつ５ｍｍ以下である。０．５ｍｍ以上の長さＤの第２部位３２が設けられたことで、フィルター部１０は、清掃においてかかる外力に耐え得る構成にできる。また、長さＤが５ｍｍ以下とされたことで、浴室乾燥機１００は、フィルター部１０で空気流が遮られることによる圧力損失の増大を抑制できる。浴室乾燥機１００は、圧力損失の増大の抑制により、送風性能の低下の抑制が可能となる。フィルター部１０は、長さＤが０．５ｍｍ以上かつ５ｍｍ以下とされたことにより、ネット１５の破断の低減と、送風性能の低下の抑制とが可能となる。
【００２８】
図３に示すフィルター枠２０は、第２部位３２と同じ断面形状をなしてネット１５が固定されている第３部位３３を有する。ネット１５の外縁の全体は、第３部位３３に固定されている。
【００２９】
フィルター部１０の製造において、フィルター枠２０と格子部１６とを構成する樹脂の成型部品によりネット１５を挟んだ状態としてから成型部品とネット１５との隙間に樹脂を流入させて、流入させた樹脂を固化させることにより、ネット１５は、格子部１６とフィルター枠２０とに固定される。
【００３０】
格子部１６へ樹脂を流入させるときに、第１部位３１から第２部位３２へ樹脂が流れる間に、樹脂が流れる速度は低下する。第１部位３１での樹脂の流れがネット１５に破断が生じ得る程度に高速であった場合において、第２部位３２での樹脂が流れる速度を低下させることができることで、第２部位３２でのネット１５の破断を低減できる。フィルター部１０は、第２部位３２でのネット１５の破断の低減により、格子部１６におけるネット１５の固定を強くすることができる。また、フィルター部１０は、格子部１６内でのネット１５の破断が格子部１６の外にまで広がることにより生じるネット１５の破断を低減できる。フィルター部１０は、第１部位３１でのネット１５の破断が生じた場合でも、第１部位３１内での破断が格子部１６の外にまで広がることにより生じるネット１５の破断を低減できる。
【００３１】
フィルター部１０は、フィルター枠２０に第３部位３３が設けられていることで、ネット１５とフィルター枠２０との固定部分の幅が拡げられていることで、ネット１５に外力がかけられた場合におけるネット１５の破断を低減できる。また、第２部位３２と同様に、第３部位３３においても樹脂が流れる速度を低下させることができる。フィルター部１０は、第３部位３３でのネット１５の破断を低減できる。フィルター部１０は、第３部位３３でのネット１５の破断の低減により、フィルター枠２０におけるネット１５の固定を強くすることができる。また、フィルター部１０は、フィルター枠２０内でのネット１５の破断がフィルター枠２０の外にまで広がることにより生じるネット１５の破断を低減できる。
【００３２】
縦線部２３および横線部２４の断面形状は、図４に示す断面形状とは異なる形状であっても良い。第１部位３１では、ネット１５よりも上側と下側とにおける突出の大きさが同じであっても良い。第２部位３２は、ネット１５の上側と下側との一方にのみ設けられていても良い。フィルター部１０は、ネット１５の上側と下側との一方に第２部位３２が設けられている場合も、ネット１５の破断を低減できるという効果を得ることができる。
【００３３】
実施の形態１によると、浴室乾燥機１００は、第１部位３１からネット１５に沿って突出した第２部位３２がフィルター部１０に設けられていることで、フィルター部１０におけるネット１５の破断を低減できるという効果を奏する。
【００３４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３５】
１  本体部、２  シロッコファン、３  ケース、３ａ  側面、４  ベース、５  パネル、６  吸込口、７  循環口、８  排気口、９  ファンモーター、１０  フィルター部、１１  ヒーター、１２  ダンパー、１３  第１の風路、１４  第２の風路、１５  ネット、１６  格子部、１７，１９  開口、１８  爪受け部、２０  フィルター枠、２１  ヒンジ部、２２  爪部、２３  縦線部、２４  横線部、２５  凹部、２６  第１端、２７  第２端、３１  第１部位、３２  第２部位、３３  第３部位、３４  側面、１００  浴室乾燥機。
【図１】
2019142240.tif 000003
【図２】
2019142240.tif 000004
【図３】
2019142240.tif 000005
【図４】
2019142240.tif 000006
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
送風機と、
前記送風機が収納されているケースと、前記送風機の動作により浴室内から前記ケースへ吸い込まれる空気流が通過する吸込口とを有する本体部と、
前記本体部の浴室内側に配置されているパネルと、
前記パネルに着脱可能に取り付けられて前記吸込口を被覆するフィルター部と、を備え、
前記フィルター部は、
前記空気流が通過するネットと、
前記ネットの表面を格子状に仕切るとともに前記ネットが固定されている格子部と、を有し、
前記格子部は、前記ネットの表面から立てられている第１部位と、前記ネットの表面に垂直な方向における高さが前記第１部位より低くされて前記第１部位から前記ネットに沿って突出している第２部位と、を有し、
前記ネットの表面に垂直な方向において前記第２部位よりも前記第１部位のほうが厚いことを特徴とする浴室乾燥機。
【請求項２】
前記第１部位は、前記ネットに対し前記吸込口の側と前記ネットに対し前記吸込口の側とは逆の側とに立てられており、
前記第２部位は、前記ネットに対し前記吸込口の側と前記ネットに対し前記吸込口の側とは逆の側とに設けられており、
前記格子部は、前記第１部位および前記第２部位のうち、前記ネットに対し前記吸込口の側の部分と前記ネットに対し前記吸込口の側とは逆の側の部分とにより前記ネットを挟持することを特徴とする請求項１に記載の浴室乾燥機。
【請求項３】
前記第１部位の側面から、前記第２部位のうち前記第１部位の側とは逆側の端までの長さが、０．５ｍｍ以上かつ５ｍｍ以下であることを特徴とする請求項１または２に記載の浴室乾燥機。
【請求項４】
前記フィルター部は、前記ネットと前記格子部とを囲うフィルター枠を有し、
前記フィルター枠は、前記第２部位と同じ断面形状をなして前記ネットが固定されている第３部位を有することを特徴とする請求項１から３のいずれか１つに記載の浴室乾燥機。
【手続補正２】
【補正対象書類名】明細書
【補正対象項目名】０００７
【補正方法】変更
【補正の内容】
【０００７】
上述した課題を解決し、目的を達成するために、本発明にかかる浴室乾燥機は、送風機と、送風機が収納されているケースと、送風機の動作により浴室内からケースへ吸い込まれる空気流が通過する吸込口とを有する本体部と、本体部の浴室内側に配置されているパネルと、パネルに着脱可能に取り付けられて吸込口を被覆するフィルター部とを備える。フィルター部は、空気流が通過するネットと、ネットの表面を格子状に仕切るとともにネットが固定されている格子部とを有する。格子部は、ネットの表面から立てられている第１部位と、ネットの表面に垂直な方向における高さが第１部位より低くされて第１部位からネットに沿って突出している第２部位とを有する。ネットの表面に垂直な方向において第２部位よりも第１部位のほうが厚い。
【国際調査報告】
2019142240.tif 000007
2019142240.tif 000008
2019142240.tif 000009
2019142240.tif 000010